(57)【要約】【課題】電磁妨害を改善することができる表示装置及び当該表示装置の駆動方法、並びにタイムスケジュール制御回路のデータの処理及び出力方法を提供すること。【解決手段】本発明に係る表示装置の駆動方法は、画像データによって第一データ信号及び第二データ信号を生成するステップと、基準クロック信号によって周波数が異なる第一クロック信号及び第二クロック信号を生成するステップと、第一クロック信号を第一データ信号の中に組み込むことで、第一初期トレーニングデータ及び第一主体伝送データを含む第一組み込み式クロックデータを生成するステップと、第一クロック信号の周波数で第一主体伝送データを受信するステップと、第二クロック信号を第二データ信号の中に組み込むことで、第二初期トレーニングデータ及び第二主体伝送データを含む第二組み込み式クロックデータを生成するステップと、を含む。【選択図】図１
2014130355.tif 000002
【特許請求の範囲】
【請求項１】
タイムスケジュール制御回路と、第一データ駆動回路と、第二データ駆動回路と、表示パネルと、を備える表示装置であって、
前記タイムスケジュール制御回路は、データ処理回路、第一エンコーダ、第二エンコーダ及び組み込み式クロックコントローラを含み、前記データ処理回路は、前記第一エンコーダ、前記第二エンコーダ及び前記組み込み式クロックコントローラにそれぞれ電気的に接続され、前記組み込み式クロックコントローラは、前記第一エンコーダ及び前記第二エンコーダにそれぞれ電気的に接続され、前記第一エンコーダは、前記第一データ駆動回路にさらに電気的に接続され、前記第二エンコーダは、前記第二データ駆動回路にさらに電気的に接続され、前記第一データ駆動回路及び前記第二データ駆動回路は、前記表示パネルにそれぞれ電気的に接続されており、前記データ処理回路は、外部回路が提供した画像データを処理して、前記第一エンコーダに第一データ信号を出力すると共に、前記第二エンコーダに第二データ信号を出力し、前記組み込み式クロックコントローラは、基準クロック信号に基づいて周波数が異なっている第一クロック信号及び第二クロック信号を生成し、
前記第一エンコーダは、前記第一クロック信号を前記第一データ信号の中に組み込み、且つ前記第一データ駆動回路に第一組み込み式クロックデータを出力し、前記第一組み込み式クロックデータは、第一初期トレーニングデータ及び第一主体伝送データを含み、前記第一データ駆動回路は、前記第一初期トレーニングデータに基づいて第一クロックトレーニングを完了した後に、前記第一クロック信号の周波数によって動作し且つ前記第一主体伝送データを受信し、
前記第二エンコーダは、前記第二クロック信号を前記第二データ信号の中に組み込み、且つ前記第二データ駆動回路に第二組み込み式クロックデータを出力し、前記第二組み込み式クロックデータは、第二初期トレーニングデータ及び第二主体伝送データを含み、前記第二データ駆動回路は、前記第二初期トレーニングデータに基づいて第二クロックトレーニングを完了した後に、前記第二クロック信号の周波数によって動作し且つ前記第二主体伝送データを受信することを特徴とする表示装置。
【請求項２】
前記第一データ信号は、第一クロックトレーニングデータ及び第一主体表示データを含み、前記組み込み式クロックコントローラは、前記第一エンコーダに第一クロックトレーニング制御信号をさらに出力し、前記第一エンコーダは、前記第一クロックトレーニング制御信号の制御下で、前記第一クロック信号を前記第一クロックトレーニングデータの中に組み込むことによって、前記第一初期トレーニングデータを生成し、
また、前記第一エンコーダは、前記第一データ駆動回路が前記第一クロックトレーニングを完了した後に、前記第一クロック信号を前記第一主体表示データの中に組み込むことによって、前記第一主体伝送データを生成し、
前記第一データ駆動回路が前記第一初期トレーニングデータを解読し、且つ前記第一クロック信号を取得して前記第一クロックトレーニングを完了することによって、前記第一データ駆動回路は前記第一クロック信号の周波数によって前記第一主体伝送データを受信することを特徴とする請求項１に記載の表示装置。
【請求項３】
前記第二データ信号は、第二クロックトレーニングデータ及び第二主体表示データを含み、前記組み込み式クロックコントローラは、前記第二エンコーダに第二クロックトレーニング制御信号をさらに出力し、前記第二エンコーダは、前記第二クロックトレーニング制御信号の制御下で、前記第二クロック信号を前記第二クロックトレーニングデータの中に組み込むことによって、前記第二初期トレーニングデータを生成し、
また、前記第二エンコーダは、前記第二データ駆動回路が前記第二クロックトレーニングを完了した後に、前記第二クロック信号を前記第二主体表示データの中に組み込むことによって、前記第二主体伝送データを生成し、
前記第二データ駆動回路が前記第二初期トレーニングデータを解読し、且つ前記第二クロック信号を取得して前記第二クロックトレーニングを完了することによって、前記第二データ駆動回路は前記第二クロック信号の周波数によって前記第二主体伝送データを受信することを特徴とする請求項２に記載の表示装置。
【請求項４】
前記第一データ駆動回路は、前記第一クロックトレーニングを完了した後に前記組み込み式クロックコントローラに第一フィードバック信号を出力し、前記組み込み式クロックコントローラは、前記第一フィードバック信号に基づいて、前記第一エンコーダに前記第一主体伝送データを出力させるように制御し、
前記第二データ駆動回路は、前記第二クロックトレーニングを完了した後に前記組み込み式クロックコントローラに第二フィードバック信号を出力し、前記組み込み式クロックコントローラは、前記第二フィードバック信号に基づいて、前記第二エンコーダに前記第二主体伝送データを出力させるように制御する
ことを特徴とする請求項３に記載の表示装置。
【請求項５】
前記データ処理回路は、外部回路からの画像データを処理することによって、前記組み込み式クロックコントローラに前記基準クロック信号を生成して出力することを特徴とする請求項１に記載の表示装置。
【請求項６】
前記表示装置は、第三データ駆動回路及び第四データ駆動回路をさらに備え、前記タイムスケジュール制御回路は、第三エンコーダ及び第四エンコーダをさらに含み、前記第三エンコーダは、前記データ処理回路、前記組み込み式クロックコントローラ及び前記第三データ駆動回路にそれぞれ電気的に接続され、前記データ処理回路は、外部回路からの画像データを処理して第三データ信号及び第四データ信号をさらに出力し、前記第三データ信号は、前記第三エンコーダまで供給され、前記第四データ信号は、前記第四エンコーダまで供給され、
前記組み込み式クロックコントローラは、前記基準クロック信号に基づいて第三クロック信号及び第四クロック信号をさらに生成し、前記第一クロック信号と前記第二クロック信号と前記第三クロック信号と前記第四クロック信号との周波数は、互いに異なっており、
前記第三エンコーダは、前記第三クロック信号を前記第三データ信号の中に組み込み、且つ前記第三データ駆動回路に第三組み込み式クロックデータを出力し、前記第三組み込み式クロックデータは、第三初期トレーニングデータ及び第三主体伝送データを含み、前記第三データ駆動回路は、前記第三初期トレーニングデータに基づいて第三クロックトレーニングを完了した後に、前記第三クロック信号の周波数によって前記第三主体伝送データを受信し、
前記第四エンコーダは、前記第四クロック信号を前記第四データ信号の中に組み込み、且つ前記第四データ駆動回路に第四組み込み式クロックデータを出力し、前記第四組み込み式クロックデータは、第四初期トレーニングデータ及び第四主体伝送データを含み、前記第四データ駆動回路は、前記第四初期トレーニングデータに基づいて第四クロックトレーニングを完了した後に、前記第四クロック信号の周波数によって前記第四主体伝送データを受信することを特徴とする請求項１乃至請求項５の何れか一項に記載の表示装置。
【請求項７】
前記第三主体伝送データ及び前記第四主体伝送データは、正常表示時間帯に対応するデータをそれぞれ含み、第三クロックトレーニングデータ及び第四クロックトレーニングデータは、空いている時間帯に対応するデータをそれぞれ含み、前記第一主体伝送データ、前記第二主体伝送データ、前記第三主体伝送データ及び前記第四主体伝送データは、前記表示パネルの四つの表示エリアの画面データであることを特徴とする請求項６に記載の表示装置。
【請求項８】
前記基準クロック信号の周波数を「ｆ」と定義した場合、前記第一クロック信号及び前記第二クロック信号の周波数は、それぞれｆ*９０％より大きいか又はそれに等しいか、ｆ*１１０％より小さいか又はそれに等しい範囲内にあることを特徴とする請求項１に記載の表示装置。
【請求項９】
タイムスケジュール制御回路と、第一データ駆動回路と、第二データ駆動回路と、表示パネルと、を備える表示装置であって、
前記タイムスケジュール制御回路は、データ処理回路、第一エンコーダ、第二エンコーダ及び組み込み式クロックコントローラを含み、前記データ処理回路は、前記第一エンコーダ、前記第二エンコーダ及び前記組み込み式クロックコントローラにそれぞれ電気的に接続され、前記組み込み式クロックコントローラは、前記第一エンコーダ及び前記第二エンコーダにそれぞれ電気的に接続され、前記第一エンコーダは、前記第一データ駆動回路にさらに電気的に接続され、前記第二エンコーダは、前記第二データ駆動回路にさらに電気的に接続され、前記第一データ駆動回路及び前記第二データ駆動回路は、前記表示パネルにそれぞれ電気的に接続されており、前記データ処理回路は、外部回路からの画像データを処理してデータ信号を出力し、前記組み込み式クロックコントローラは、基準クロック信号に基づいて周波数が異なっている第一クロック信号及び第二クロック信号を生成し、
前記第一エンコーダは、第一クロック信号及び第一クロックトレーニングデータを受信して、前記第一クロック信号を前記第一クロックトレーニングデータの中に組み込み、且つ前記第一データ駆動回路に第一初期トレーニングデータを出力し、前記第一データ駆動回路は、前記第一初期トレーニングデータに基づいて自身の動作周波数を前記第一クロック信号に対応する周波数と調節し、これにより、前記第一データ駆動回路は、前記第一クロック信号に対応する周波数によって前記タイムスケジュール制御回路からデータ信号を受信し、
前記第二エンコーダは、第二クロック信号及び第二クロックトレーニングデータを受信して、前記第二クロック信号を前記第二クロックトレーニングデータの中に組み込み、且つ前記第二データ駆動回路に第二初期トレーニングデータを出力し、前記第二データ駆動回路は、前記第二初期トレーニングデータに基づいて自身の動作周波数を前記第二クロック信号に対応する周波数と調節し、これにより、前記第二データ駆動回路は、前記第二クロック信号に対応する周波数によって前記タイムスケジュール制御回路からデータ信号を受信することを特徴とする表示装置。
【請求項１０】
表示パネルと、第一データ駆動回路と、第二データ駆動回路と、を備える表示装置の駆動方法であって、
画像データを受信し且つ当該画像データによって第一データ信号及び第二データ信号を生成するステップと、
基準クロック信号を受信し且つ当該基準クロック信号によって周波数が異なる第一クロック信号及び第二クロック信号を生成するステップと、
前記第一クロック信号を前記第一データ信号の中に組み込むことで、第一初期トレーニングデータ及び第一主体伝送データを含む第一組み込み式クロックデータを生成するステップと、
前記第一データ駆動回路は、前記第一初期トレーニングデータを受信して第一クロックトレーニングを完了することによって、前記第一クロック信号の周波数によって前記第一主体伝送データを受信するステップと、
前記第二クロック信号を前記第二データ信号の中に組み込むことで、第二初期トレーニングデータ及び第二主体伝送データを含む第二組み込み式クロックデータを生成するステップと、
前記第二データ駆動回路は、前記第二初期トレーニングデータを受信して第二クロックトレーニングを完了することによって、前記第二クロック信号の周波数によって前記第二主体伝送データを受信するステップと、
前記第一データ駆動回路及び前記第二データ駆動回路は、それぞれ前記第一主体伝送データ及び前記第二主体伝送データに基づいて前記表示パネルに駆動電圧を出力するステップと、
を備えることを特徴とする表示装置の駆動方法。
【請求項１１】
前記第一データ信号は、第一クロックトレーニングデータ及び第一主体表示データを含み、前記第二データ信号は、第二クロックトレーニングデータ及び第二主体表示データを含み、前記表示装置の駆動方法は、第一クロックトレーニング制御信号を提供して、当該第一クロックトレーニング制御信号の制御下で前記第一クロック信号を前記第一クロックトレーニングデータの中に組み込むことによって、前記第一初期トレーニングデータを生成するステップと、第二クロックトレーニング制御信号を提供して、当該第二クロックトレーニング制御信号の制御下で前記第二クロック信号を前記第二クロックトレーニングデータの中に組み込むことによって、前記第二初期トレーニングデータを生成するステップと、をさらに備えることを特徴とする請求項１０に記載の表示装置の駆動方法。
【請求項１２】
前記第一クロックトレーニングを完了した後に、第一フィードバック信号を提供し、前記第二クロックトレーニングを完了した後に、第二フィードバック信号を提供し、前記第一フィードバック信号と前記第二フィードバック信号とに基づいて前記第一主体伝送データ及び前記第二主体伝送データをそれぞれ出力するステップをさらに備えることを特徴とする請求項１１に記載の表示装置の駆動方法。
【請求項１３】
前記表示パネルの表示画面は、各フレーム画面を表示する正常表示時間帯及び相隣する２つのフレーム画面の間の空いている時間帯を含み、前記第一クロックトレーニングデータ及び前記第二クロックトレーニングデータは、前記空いている時間帯に対応するデータであり、前記第一主体伝送データ及び前記第二主体伝送データは、前記正常表示時間帯に対応するデータを含むことを特徴とする請求項１１に記載の表示装置の駆動方法。
【請求項１４】
外部回路が提供した画像データに基づいて前記基準クロック信号を得ることを特徴とする請求項１０に記載の表示装置の駆動方法。
【請求項１５】
前記表示装置は、第三データ駆動回路及び第四データ駆動回路をさらに備え、前記表示装置の駆動方法は、
前記画像データに基づいて第三データ信号及び第四データ信号を生成するステップと、
前記基準クロック信号に基づいて、周波数が異なる第三クロック信号及び第四クロック信号を生成するステップと、
前記第三クロック信号を前記第三データ信号の中に組み込むことによって、第三初期トレーニングデータ及び第三主体伝送データを含む第三組み込み式クロックデータを生成するステップと、
前記第三データ駆動回路が前記第三初期トレーニングデータを受信して第三クロックトレーニングを完了することによって、当該第三データ駆動回路は前記第三クロック信号の周波数によって前記第三主体伝送データを受信するステップと、
前記第四クロック信号を前記第四データ信号の中に組み込むことによって、第四初期トレーニングデータ及び第四主体伝送データを含む第四組み込み式クロックデータを生成するステップと、
前記第四データ駆動回路が前記第四初期トレーニングデータを受信して第四クロックトレーニングを完了することによって、当該第四データ駆動回路は前記第四クロック信号の周波数によって前記第四主体伝送データを受信するステップと、
前記第三データ駆動回路及び前記第四データ駆動回路は、前記第三主体伝送データ及び前記第四主体伝送データに基づいて、前記表示パネルに駆動電圧を出力することを特徴とする請求項１０乃至請求項１４の何れか一項に記載の表示装置の駆動方法。
【請求項１６】
前記第三主体伝送データ及び前記第四主体伝送データは、正常表示時間帯に対応するデータであり、第三クロックトレーニングデータ及び第四クロックトレーニングデータは、空いている時間帯に対応するデータであることを特徴とする請求項１５に記載の表示装置の駆動方法。
【請求項１７】
第一データ駆動回路及び第二データ駆動回路を備える表示装置の駆動方法であって、
第一クロック信号が組み込まれた第一初期トレーニングデータ及び第一主体伝送データを提供するステップと、
前記第一データ駆動回路は、前記第一初期トレーニングデータを解読して前記第一クロック信号を取得した後に、前記第一クロック信号の周波数によって前記第一主体伝送データを受信するステップと、
前記第一クロック信号の周波数と異なる周波数を有する第二クロック信号が組み込まれた第二初期トレーニングデータ及び第二主体伝送データを提供するステップと、
前記第二データ駆動回路は、前記第二初期トレーニングデータを解読して前記第二クロック信号を取得した後に、前記第二クロック信号の周波数によって前記第二主体伝送データを受信するステップと、
前記第一データ駆動回路及び前記第二データ駆動回路は、それぞれ前記第一主体伝送データ及び前記第二主体伝送データに基づいて表示パネルに駆動電圧を出力するステップと、を備えることを特徴とする表示装置の駆動方法。
【請求項１８】
第一データ駆動回路及び第二データ駆動回路を備える表示装置の駆動方法であって、
第一初期トレーニングデータ及び第一主体伝送データを提供するステップと、
前記第一データ駆動回路は、前記第一初期トレーニングデータを受信して第一クロックトレーニングを完了することによって、第一クロック信号の周波数によって前記第一主体伝送データを受信するステップと、
第二初期トレーニングデータ及び第二主体伝送データを提供するステップと、
前記第二データ駆動回路は、前記第二初期トレーニングデータを受信して第二クロックトレーニングを完了することによって、前記第一クロック信号の周波数と異なる第二クロック信号の周波数によって前記第二主体伝送データを受信するステップと、
前記第一データ駆動回路及び前記第二データ駆動回路が、それぞれ前記第一主体伝送データ及び前記第二主体伝送データに基づいて表示パネルに駆動電圧を出力するステップと、
を備えることを特徴とする表示装置の駆動方法。
【請求項１９】
表示装置に用いられ、且つ第一出力端子及び第二出力端子を含むタイムスケジュール制御回路のデータの処理及び出力方法であって、
前記第一出力端子は、第一クロック信号が組み込まれた第一初期トレーニングデータを出力するステップと、
前記第一出力端子は、前記第一クロック信号の周波数によって第一主体伝送データを出力するステップと、
前記第二出力端子は、第二クロック信号が組み込まれた第二初期トレーニングデータを出力するステップと、
前記第二出力端子は、前記第二クロック信号の周波数によって第二主体伝送データを出力するステップと、
を備えることを特徴とするタイムスケジュール制御回路のデータの処理及び出力方法。
【発明の詳細な説明】
【技術分野】
【０００１】
本発明は、表示装置及びその駆動方法、並びにタイムスケジュール制御回路のデータの処理及び出力方法に関するものである。
【背景技術】
【０００２】
従来の電子装置は、通常表示パネルを駆動するための複数の機能回路を備える。例えば、タイムスケジュール制御回路（ｔｉｍｅ  ｓｃｈｅｄｕｌｅ  ｃｏｎｔｒｏｌｌｅｒ）、データ駆動回路及び走査駆動回路等が挙げられる。これらの機能回路は、一般的にＩＣチップの方式によって電子装置の中に存在する。表示パネルを駆動する際、これらの機能回路は互いにデータを伝送する必要がある。しかし、各機能回路の動作周波数は高く、且つ固定されているため、データを伝送する過程において大きな電磁妨害が発生する。特に、組み込み式クロックエンベデッドポイントツーポイント（ｃｌｏｃｋ  ｅｍｂｅｄｄｅｄ  ｐｏｉｎｔ  ｔｏ  ｐｏｉｎｔ）伝送の回路構造においては、その動作周波数はより高いので、電磁妨害の問題はさらに深刻である。
【発明の概要】
【発明が解決しようとする課題】
【０００３】
そこで、本発明は上記の問題点を考慮した上で、電磁妨害を改善することができる表示装置及び当該表示装置の駆動方法を提供することを目的とする。
【０００４】
また、本発明は上記の問題点を考慮した上で、電磁妨害を改善することができるタイムスケジュール制御回路のデータの処理及び出力方法を提供することを目的とする。
【課題を解決するための手段】
【０００５】
上記の目的を達成するために、本発明に係る表示装置は、タイムスケジュール制御回路と、第一データ駆動回路と、第二データ駆動回路と、表示パネルと、を備える。前記タイムスケジュール制御回路は、データ処理回路、第一エンコーダ、第二エンコーダ及び組み込み式クロックコントローラを含み、前記データ処理回路は、前記第一エンコーダ、前記第二エンコーダ及び前記組み込み式クロックコントローラにそれぞれ電気的に接続され、前記組み込み式クロックコントローラは、前記第一エンコーダ及び前記第二エンコーダにそれぞれ電気的に接続され、前記第一エンコーダは、前記第一データ駆動回路にさらに電気的に接続され、前記第二エンコーダは、前記第二データ駆動回路にさらに電気的に接続され、前記第一データ駆動回路及び前記第二データ駆動回路は、前記表示パネルにそれぞれ電気的に接続されており、前記データ処理回路は、外部回路が提供した画像データを処理して、前記第一エンコーダに第一データ信号を出力すると共に、前記第二エンコーダに第二データ信号を出力し、前記組み込み式クロックコントローラは、基準クロック信号に基づいて周波数が異なっている第一クロック信号及び第二クロック信号を生成し、前記第一エンコーダは、前記第一クロック信号を前記第一データ信号の中に組み込み、且つ前記第一データ駆動回路に第一組み込み式クロックデータを出力し、前記第一組み込み式クロックデータは、第一初期トレーニングデータ及び第一主体伝送データを含み、前記第一データ駆動回路は、前記第一初期トレーニングデータに基づいて第一クロックトレーニングを完了した後に、前記第一クロック信号の周波数によって動作し且つ前記第一主体伝送データを受信し、前記第二エンコーダは、前記第二クロック信号を前記第二データ信号の中に組み込み、且つ前記第二データ駆動回路に第二組み込み式クロックデータを出力し、前記第二組み込み式クロックデータは、第二初期トレーニングデータ及び第二主体伝送データを含み、前記第二データ駆動回路は、前記第二初期トレーニングデータに基づいて第二クロックトレーニングを完了した後に、前記第二クロック信号の周波数によって動作し且つ前記第二主体伝送データを受信する。
【０００６】
上記の目的を達成するために、本発明に係る表示装置は、タイムスケジュール制御回路と、第一データ駆動回路と、第二データ駆動回路と、表示パネルと、を備える。前記タイムスケジュール制御回路は、データ処理回路、第一エンコーダ、第二エンコーダ及び組み込み式クロックコントローラを含み、前記データ処理回路は、前記第一エンコーダ、前記第二エンコーダ及び前記組み込み式クロックコントローラにそれぞれ電気的に接続され、前記組み込み式クロックコントローラは、前記第一エンコーダ及び前記第二エンコーダにそれぞれ電気的に接続され、前記第一エンコーダは、前記第一データ駆動回路にさらに電気的に接続され、前記第二エンコーダは、前記第二データ駆動回路にさらに電気的に接続され、前記第一データ駆動回路及び前記第二データ駆動回路は、前記表示パネルにそれぞれ電気的に接続されており、前記データ処理回路は、外部回路からの画像データを処理してデータ信号を出力し、前記組み込み式クロックコントローラは、基準クロック信号に基づいて周波数が異なっている第一クロック信号及び第二クロック信号を生成し、前記第一エンコーダは、第一クロック信号及び第一クロックトレーニングデータを受信して、前記第一クロック信号を前記第一クロックトレーニングデータの中に組み込み、且つ前記第一データ駆動回路に第一初期トレーニングデータを出力し、前記第一データ駆動回路は、前記第一初期トレーニングデータに基づいて自身の動作周波数を前記第一クロック信号に対応する周波数と調節し、これにより、前記第一データ駆動回路は、前記第一クロック信号に対応する周波数によって前記タイムスケジュール制御回路からデータ信号を受信し、前記第二エンコーダは、第二クロック信号及び第二クロックトレーニングデータを受信して、前記第二クロック信号を前記第二クロックトレーニングデータの中に組み込み、且つ前記第二データ駆動回路に第二初期トレーニングデータを出力し、前記第二データ駆動回路は、前記第二初期トレーニングデータに基づいて自身の動作周波数を前記第二クロック信号に対応する周波数に調節し、これにより、前記第二データ駆動回路は、前記第二クロック信号に対応する周波数によって前記タイムスケジュール制御回路からデータ信号を受信する。
【０００７】
上記の目的を達成するために、本発明に係る表示装置の駆動方法は、表示パネルと、第一データ駆動回路と、第二データ駆動回路と、を備える表示装置に用いられる。また、前記表示装置の駆動方法は、画像データを受信し且つ当該画像データによって第一データ信号及び第二データ信号を生成するステップと、基準クロック信号を受信し且つ当該基準クロック信号によって周波数が異なる第一クロック信号及び第二クロック信号を生成するステップと、前記第一クロック信号を前記第一データ信号の中に組み込むことで、第一初期トレーニングデータ及び第一主体伝送データを含む第一組み込み式クロックデータを生成するステップと、前記第一データ駆動回路は、前記第一初期トレーニングデータを受信して第一クロックトレーニングを完了することによって、前記第一クロック信号の周波数によって前記第一主体伝送データを受信するステップと、前記第二クロック信号を前記第二データ信号の中に組み込むことで、第二初期トレーニングデータ及び第二主体伝送データを含む第二組み込み式クロックデータを生成するステップと、前記第二データ駆動回路は、前記第二初期トレーニングデータを受信して第二クロックトレーニングを完了することによって、前記第二クロック信号の周波数によって前記第二主体伝送データを受信するステップと、前記第一データ駆動回路及び前記第二データ駆動回路は、それぞれ前記第一主体伝送データ及び前記第二主体伝送データに基づいて前記表示パネルに駆動電圧を出力するステップと、を備える。
【０００８】
上記の目的を達成するために、本発明に係る表示装置の駆動方法は、第一データ駆動回路及び第二データ駆動回路を備える表示装置に用いられて、第一クロック信号が組み込まれた第一初期トレーニングデータ及び第一主体伝送データを提供するステップと、前記第一データ駆動回路が、前記第一初期トレーニングデータを解読して前記第一クロック信号を取得した後に、前記第一クロック信号の周波数によって前記第一主体伝送データを受信するステップと、前記第一クロック信号の周波数と異なる周波数を有する第二クロック信号が組み込まれた第二初期トレーニングデータ及び第二主体伝送データを提供するステップと、前記第二データ駆動回路が、前記第二初期トレーニングデータを解読して前記第二クロック信号を取得した後に、前記第二クロック信号の周波数によって前記第二主体伝送データを受信するステップと、前記第一データ駆動回路及び前記第二データ駆動回路が、それぞれ前記第一主体伝送データ及び前記第二主体伝送データに基づいて前記表示パネルに駆動電圧を出力するステップと、を備える。
【０００９】
上記の目的を達成するために、本発明に係る表示装置の駆動方法は、第一データ駆動回路及び第二データ駆動回路を備える表示装置に用いられる。また、前記表示装置の駆動方法は、第一初期トレーニングデータ及び第一主体伝送データを提供するステップと、前記第一データ駆動回路が、前記第一初期トレーニングデータを受信して第一クロックトレーニングを完了することによって、第一クロック信号の周波数によって前記第一主体伝送データを受信するステップと、第二初期トレーニングデータ及び第二主体伝送データを提供するステップと、前記第二データ駆動回路が、前記第二初期トレーニングデータを受信して第二クロックトレーニングを完了することによって、前記第一クロック信号の周波数と異なる第二クロック信号の周波数によって前記第二主体伝送データを受信するステップと、前記第一データ駆動回路及び前記第二データ駆動回路は、それぞれ前記第一主体伝送データ及び前記第二主体伝送データに基づいて前記表示パネルに駆動電圧を出力するステップと、を備える。
【００１０】
上記の目的を達成するために、本発明に係る表示装置に用いられ且つ第一出力端子及び第二出力端子を含むタイムスケジュール制御回路のデータの処理及び出力方法は、前記第一出力端子が、第一クロック信号を組み込まれた第一初期トレーニングデータを出力するステップと、前記第一出力端子が、前記第一クロック信号の周波数によって第一主体伝送データを出力するステップと、前記第二出力端子が、第二クロック信号を組み込まれた第二初期トレーニングデータを出力するステップと、前記第二出力端子が、前記第二クロック信号の周波数によって第二主体伝送データを出力するステップと、を備える。
【発明の効果】
【００１１】
従来の技術と異なり、本発明の表示装置及び駆動方法において、第一データ駆動回路は、第一初期トレーニングデータを提供することで第一クロックトレーニングを完了する。これにより、第一データ駆動回路は、第一クロック信号の周波数を以って動作し且つ第一主体から伝送されて来たデータを受信する。これと同時に、第二データ駆動回路が、第二初期トレーニングデータを提供することで第二クロックトレーニングを完了する。これにより、第二データ駆動回路は、第二クロック信号の周波数を以って動作し且つ第二主体から伝送されて来たデータを受信する。このようにして、本発明の表示装置の２つのデータ駆動回路に必要な第一主体伝送データ及び第二主体伝送データは異なる周波数によって伝送されることが可能になり、固定周波数の伝送方式に起因する電磁妨害現象が改善される。
【図面の簡単な説明】
【００１２】
【図１】本発明の実施形態に係る表示装置の制御回路の構造を示す図である。
【図２】本発明の第一実施形態に係る表示装置の駆動方法のフローチャートである。
【図３Ａ】本発明の第二実施形態に係る表示装置の駆動方法の前半部のフローチャートである。
【図３Ｂ】本発明の第二実施形態に係る表示装置の駆動方法の後半部のフローチャートである。
【発明を実施するための形態】
【００１３】
図１に示すように、本発明の実施形態に係る表示装置１０は、液晶表示装置或いは有機エレクトロルミネセンス表示装置などであることができ、且つタイムスケジュール制御回路１１と、第一データ駆動回路１２１と、第二データ駆動回路１２２と、第三データ駆動回路１２３と、第四データ駆動回路１２４と、表示パネル１３と、を備える。タイムスケジュール制御回路１１は、データ処理回路１１０と、組み込み式クロックコントローラ１１２と、第一エンコーダ１１４と、第二エンコーダ１１５と、第三エンコーダ１１６と、第四エンコーダ１１７と、を含む。
【００１４】
表示パネル１３は、液晶表示パネルであることが可能であり、且つ上述した四つのデータ駆動回路にいちいち対応する表示エリア１３１、１３２、１３３、１３４を含む。本実施形態において、第一乃至第四表示エリアは、共同で表示パネル１３の完全な表示エリアを構成する。勿論、表示装置１０に含まれるデータ駆動回路の数、エンコーダの数及び分割される表示エリアの数は、上記の実施形態に限定されず、必要に応じてそれらを変更することができる。
【００１５】
データ処理回路１１０は、第一乃エンコーダ１１４〜第四エンコーダ１１７及び組み込み式クロックコントローラ１１２にそれぞれ電気的に接続されている。また、組み込み式クロックコントローラ１１２は、第一エンコーダ１１４、第二エンコーダ１１５、エンコーダ１１６及び第四エンコーダ１１７にそれぞれ電気的に接続されている。第一エンコーダ１１４は、第一データ駆動回路１２１にさらに電気的に接続されている。第一データ駆動回路１２１は、表示パネル１３に電気的に接続されて、表示エリア１３１に駆動電圧を出力する。さらに、第一データ駆動回路１２１は、組み込み式クロックコントローラ１１２に電気的に接続されている。タイムスケジュール制御回路１１と第一データ駆動回路１２１との間の信号伝送インタフェースは、組み込み式クロックエンベデッドポイントツーポイント（ｃｌｏｃｋ  ｅｍｂｅｄｄｅｄ  ｐｏｉｎｔ  ｔｏ  ｐｏｉｎｔ）であっても良い。タイムスケジュール制御回路１１及び第一データ駆動回路１２１は、それぞれＩＣチップであることができる。
【００１６】
さらに、第二エンコーダ１１５は、第二データ駆動回路１２２に電気的に接続されている。第二データ駆動回路１２２は、表示パネル１３に電気的に接続されて、表示エリア１３２に駆動電圧を出力する。また、第二データ駆動回路１２２は、組み込み式クロックコントローラ１１２に電気的に接続されている。タイムスケジュール制御回路１１と第二データ駆動回路１２２との間の信号伝送インタフェースは、組み込み式クロックエンベデッドポイントツーポイントの伝送インタフェースであっても良い。また、第二データ駆動回路１２２はＩＣチップであっても良い。
【００１７】
第三エンコーダ１１６は、第三データ駆動回路１２３に電気的に接続されている。第三データ駆動回路１２３は、表示パネル１３に電気的に接続されて、表示エリア１３３に駆動電圧を出力する。また、第三データ駆動回路１２３は、組み込み式クロックコントローラ１１２に電気的に接続されている。タイムスケジュール制御回路１１と第三データ駆動回路１２３との間の信号伝送インタフェースは、組み込み式クロックエンベデッドポイントツーポイントの伝送インタフェースであっても良い。また、第三データ駆動回路１２３は、ＩＣチップであっても良い。
【００１８】
第四エンコーダ１１７は、第四データ駆動回路１２４に電気的に接続されている。第四データ駆動回路１２４は、表示パネル１３に電気的に接続されて、表示エリア１３４に駆動電圧を出力する。また、第四データ駆動回路１２４は、組み込み式クロックコントローラ１１２に電気的に接続されている。タイムスケジュール制御回路１１と第四データ駆動回路１２４との間の信号伝送インタフェースは、組み込み式クロックエンベデッドポイントツーポイントの伝送インタフェースであっても良い。また、第四データ駆動回路１２４はＩＣチップであっても良い。
【００１９】
データ処理回路１１０は、外部回路（例えば、ズームコントローラ，Ｓｃａｌｅ  Ｃｏｎｔｒｏｌｌｅｒ）からの画像データを受信して処理する。具体的には、データ処理回路１１０は、前記画像データに対して解読して基準クロック信号、第一データ信号、第二データ信号、第三データ信号及び第四データ信号を得る。その上で、データ処理回路１１０は、前記基準クロック信号を組み込み式クロックコントローラ１１２に出力し、前記第一データ信号を第一エンコーダ１１４に出力し、前記第二データ信号を第二エンコーダ１１５に出力し、前記第三データ信号を第三エンコーダ１１６に出力し、前記第四データ信号を第四エンコーダ１１７に出力する。前記第一データ信号、前記第二データ信号、前記第三データ信号及び前記第四データ信号は、同時に第一エンコーダ１１４、第二エンコーダ１１５、第三エンコーダ１１６、第四エンコーダ１１７に出力されることが可能である。
【００２０】
組み込み式クロックコントローラ１１２は、前記基準クロック信号を受信し、且つ当該基準クロック信号に基づいて第一クロック信号、第二クロック信号、第三クロック信号及び第四クロック信号を生成する。前記第一クロック信号、前記第二クロック信号、前記第三クロック信号及び前記第四クロック信号の周波数は、互いに異なっている。前記基準クロック信号の周波数を「ｆ」と定義した場合、前記第一クロック信号、前記第二クロック信号、前記第三クロック信号及び前記第四クロック信号の周波数は、それぞれｆ*９０％より大きいか又はそれに等しいか、ｆ*１１０％より小さいか又はそれに等しい範囲以内にある。
【００２１】
また、組み込み式クロックコントローラ１１２は、第一クロックトレーニング（Ｃｌｏｃｋ  Ｔｒａｉｎｉｎｇ）制御信号、第二クロックトレーニング制御信号、第三クロックトレーニング制御信号及び第四クロックトレーニング制御信号をさらに生成する。前記第一クロック信号及び前記第一クロックトレーニング制御信号は、第一エンコーダ１１４に提供される。前記第二クロック信号及び前記第二クロックトレーニング制御信号は、第二エンコーダ１５に提供される。前記第三クロック信号及び前記第三クロックトレーニング制御信号は、第三エンコーダ１１６に提供される。前記第四クロック信号及び前記第四クロックトレーニング制御信号は、第四エンコーダ１１７に提供される。
【００２２】
第一エンコーダ１１４は、前記第一クロック信号を前記第一データ信号の中に組み込むことによって第一組み込み式クロックデータを得、且つ当該第一組み込み式クロックデータを第一データ駆動回路１２１に提供する。前記第一組み込み式クロックデータは、第一初期トレーニングデータ及び第一主体伝送データを含む。前記第一データ信号は、第一クロックトレーニングデータ及び第一主体表示データを含む。より詳細には、第一エンコーダ１１４は、前記第一クロックトレーニング制御信号により制御されて、前記第一クロック信号を前記第一クロックトレーニングデータの中に組み込んで、前記第一初期トレーニングデータを得た後に、当該第一初期トレーニングデータを第一データ駆動回路１２１に出力する。第一データ駆動回路１２１は、前記第一初期トレーニングデータを受信した後に、それを解読（復号化）することで、前記第一クロック信号及び前記第一クロックトレーニングデータを回復させる。第一データ駆動回路１２１は、クロックデータリカバリ（Ｃｌｏｃｋ  Ｄａｔａ  Ｒｅｃｏｖｅｒｙ，ＣＤＲ）回路を介して上記の解読動作及び回復動作を完了する。
【００２３】
さらに、第一データ駆動回路１２１は、クロックトレーニングの方式によって自身の動作周波数を前記第一クロック信号の周波数に調節し、且つ前記第一クロックトレーニングデータを一時的に預ける。また、第一データ駆動回路１２１は、自身の動作周波数を前記第一クロック信号の周波数に調節した後（即ち、第一クロックトレーニングを完了した後）に、組み込み式クロックコントローラ１１２に第一フィードバック信号を出力する。
【００２４】
第二エンコーダ１１５は、前記第二クロック信号を前記第二データ信号の中に組み込むことで第二組み込み式クロックデータを得、且つ当該第二組み込み式クロックデータを第二データ駆動回路１２２に提供する。前記第二組み込み式クロックデータは、第二初期トレーニングデータ及び第二主体伝送データを含む。前記第二データ信号は、第二クロックトレーニングデータ及び第二主体表示データを含む。より詳細には、第二エンコーダ１１５は、前記第二クロックトレーニング制御信号により制御されて、前記第二クロック信号を前記第二クロックトレーニングデータの中に組み込んで、前記第二初期トレーニングデータを得た後、当該第二初期トレーニングデータを第二データ駆動回路１２２に出力する。第二データ駆動回路１２２は、前記第二初期トレーニングデータを受信した後に、それを解読（復号化）することで、前記第二クロック信号及び前記第二クロックトレーニングデータを回復させる。第二データ駆動回路１２２は、クロック信号再生回路を介して上記の解読動作及び回復動作を完了する。
【００２５】
さらに、第二データ駆動回路１２２は、クロックトレーニングの方式によって自身の動作周波数を前記第二クロック信号の周波数に調節し、且つ前記第二クロックトレーニングデータを一時的に預ける。また、第二データ駆動回路１２２は、自身の動作周波数を前記第二クロック信号の周波数に調節した後（即ち、第二クロックトレーニングを完了した後）に、組み込み式クロックコントローラ１１２に第二フィードバック信号を出力する。
【００２６】
第三エンコーダ１１６は、前記第三クロック信号を前記第三データ信号の中に組み込むことで第三組み込み式クロックデータを得、且つ当該第三組み込み式クロックデータを第三データ駆動回路１２３に提供する。前記第三組み込み式クロックデータは、第三初期トレーニングデータ及び第三主体伝送データを含む。前記第三データ信号は、第三クロックトレーニングデータ及び第三主体表示データを含む。より詳細には、第三エンコーダ１１６は、前記第三クロックトレーニング制御信号により制御されて、前記第三クロック信号を前記第三クロックトレーニングデータの中に組み込んで、前記第三初期トレーニングデータを得た後、当該第三初期トレーニングデータを第三データ駆動回路１２３に出力する。第三データ駆動回路１２３は、前記第三初期トレーニングデータを受信した後に、それを解読（復号化）することで、前記第三クロック信号及び前記第三クロックトレーニングデータを回復させる。第三データ駆動回路１２３は、クロック信号再生回路を介して上記の解読動作及び回復動作を完了する。
【００２７】
さらに、第三データ駆動回路１２３は、クロックトレーニングの方式によって自身の動作周波数を前記第三クロック信号の周波数に調節し、且つ前記第三クロックトレーニングデータを一時的に預ける。また、第三データ駆動回路１２３は、自身の動作周波数を前記第三クロック信号の周波数に調節した後（即ち、第三クロックトレーニングを完了した後）に、組み込み式クロックコントローラ１１２に第三フィードバック信号を出力する。
【００２８】
第四エンコーダ１１７は、前記第四クロック信号を前記第四データ信号の中に組み込むことで第四組み込み式クロックデータを得、且つ当該第四組み込み式クロックデータを第四データ駆動回路１２４に提供する。前記第四組み込み式クロックデータは、第四初期トレーニングデータ及び第四主体伝送データを含む。前記第四データ信号は、第四クロックトレーニングデータ及び第四主体表示データを含む。より詳細には、第四エンコーダ１１７は、前記第四クロックトレーニング制御信号により制御されて、前記第四クロック信号を前記第四クロックトレーニングデータの中に組み込んで、前記第四初期トレーニングデータを得た後、当該第四初期トレーニングデータを第四データ駆動回路１２４に出力する。第四データ駆動回路１２４は、前記第四初期トレーニングデータを受信した後に、それを解読（復号化）することで、前記第四クロック信号及び前記第四クロックトレーニングデータを回復させる。第四データ駆動回路１２４は、クロック信号再生回路を介して上記の解読動作及び回復動作を完了する。
【００２９】
さらに、第四データ駆動回路１２４は、クロックトレーニングの方式によって自身の動作周波数を前記第四クロック信号の周波数に調節し、且つ前記第四クロックトレーニングデータを一時的に預ける。また、第四データ駆動回路１２４は、自身の動作周波数を前記第四クロック信号の周波数に調節した後（即ち、第四クロックトレーニングを完了した後）に、組み込み式クロックコントローラ１１２に第四フィードバック信号を出力する。
【００３０】
第一乃至第四フィードバック信号が全て組み込み式クロックコントローラ１１２に供給されると、組み込み式クロックコントローラ１１２は、前記第一乃至第四フィードバック信号に基づいて、第一エンコーダ１１４に前記第一クロックトレーニング制御信号を出力すること及び第二エンコーダ１１５に前記第二クロックトレーニング制御信号を出力することを停止するが、第一エンコーダ１１４に前記第一クロック信号を引き続き出力すると共に、第二エンコーダ１１５に前記第二クロック信号を引き続き出力する。第一エンコーダ１１４は、前記第一クロック信号を前記第一主体表示データの中に組み込むことで、前記第一主体伝送データを生成する。第二エンコーダ１１５は、前記第二クロック信号を前記第二主体表示データの中に組み込むことで、前記第二主体伝送データを生成する。これと同時に、組み込み式クロックコントローラ１１２は、第一乃至第四フィードバック信号に基づいて、第三エンコーダ１１６に前記第三クロックトレーニング制御信号を出力すること及び第四エンコーダ１１７に第四クロックトレーニング制御信号を出力することを停止するが、第三エンコーダ１１６に前記第三クロック信号を出力すること及び第四エンコーダ１１７に前記第四クロック信号を出力し続ける。第三エンコーダ１１６は、前記第三クロック信号を前記第三主体表示データの中に組み込むことで、前記第三主体伝送データを生成する。第四エンコーダ１１７は、前記第四クロック信号を前記第四主体表示データの中に組み込むことで、前記第四主体伝送データを生成する。
【００３１】
さらに、第一エンコーダ１１４は、第一データ駆動回路１２１に前記第一主体伝送データを出力する。第一データ駆動回路１２１は、前記第一クロック信号の周波数によって前記第一主体伝送データを受信する。第二エンコーダ１１５は、第二データ駆動回路１２２に前記第二主体伝送データを出力する。第二データ駆動回路１２２は、前記第二クロック信号の周波数によって前記第二主体伝送データを受信する。第三エンコーダ１１６は、第三データ駆動回路１２３に前記第三主体伝送データを出力する。第三データ駆動回路１２３は、前記第三クロック信号の周波数によって前記第三主体伝送データを受信する。第四エンコーダ１１７は、第四データ駆動回路１２４に前記第四主体伝送データを出力する。第四データ駆動回路１２４は、前記第四クロック信号の周波数によって前記第四主体伝送データを受信する。第一エンコーダ１１４〜第四エンコーダ１１７は、前記第一乃至第四主体伝送データを同時に出力することが好ましい。これにより、第一データ駆動回路１２１〜第四データ駆動回路１２４は、前記第一乃至第四主体伝送データを同時に受信することができる。
【００３２】
第一データ駆動回路１２１は、前記第一主体伝送データを受信した後、前記第一主体伝送データを解読して、前記第一クロック信号及び前記第一主体表示データを回復させる。この際、回復された第一クロック信号は、前記第一主体表示データの伝送タイミングが正確であるかどうかを検出することに用いられる。例えば、回復された第一クロック信号を利用して、前記第一主体表示データの周波数、位相にずれがあるかどうかを検出する。ずれがある場合、前記第一主体表示データの周波数及び位相を校正し、前記第一主体表示データは第一データ駆動回路１２１により一時的に預けられる。
【００３３】
第二データ駆動回路１２２は、前記第二主体伝送データを受信した後、前記第二主体伝送データを解読して、前記第二クロック信号及び前記第二主体表示データを回復させる。この際、回復された第二クロック信号は、前記第二主体表示データの伝送タイミングが正確であるかどうかを検出することに用いられる。例えば、回復された第二クロック信号を利用して、前記第二主体表示データの周波数、位相にずれがあるかどうかを検出する。ずれがある場合、前記第二主体表示データの周波数及び位相を校正し、前記第二主体表示データは第二データ駆動回路１２２により一時的に預けられる。
【００３４】
第三データ駆動回路１２３は、前記第三主体伝送データを受信した後、前記第三主体伝送データを解読して、前記第三クロック信号及び前記第三主体表示データを回復させる。この際、回復された第三クロック信号は、前記第三主体表示データの伝送タイミングが正確であるかどうかを検出することに用いられる。例えば、回復された第三クロック信号を利用して、前記第三主体表示データの周波数、位相にずれがあるかどうかを検出する。ずれがある場合、前記第三主体表示データの周波数及び位相を校正し、前記第三主体表示データは第三データ駆動回路１２３により一時的に預けられる。
【００３５】
第二データ駆動回路１２４は、前記第四主体伝送データを受信した後、前記第四主体伝送データを解読して、前記第四クロック信号及び前記第四主体表示データを回復させる。この際、回復された第四クロック信号は、前記第四主体表示データの伝送タイミングが正確であるかどうかを検出することに用いられる。例えば、回復された第四クロック信号を利用して、前記第四主体表示データの周波数、位相にずれがあるかどうかを検出する。ずれがある場合、前記第四主体表示データの周波数及び位相を校正し、前記第四主体表示データは第四データ駆動回路１２４により一時的に預けられる。
【００３６】
第一データ駆動回路１２１は、取得した第一クロックトレーニングデータ及び第一主体表示データを階調電圧に変換し、且つ所定のタイミングに従って前記階調電圧を表示パネル１３の表示エリア１３１に印加する。第二データ駆動回路１２２は、取得した第二クロックトレーニングデータ及び第二主体表示データを階調電圧に変換し、且つ所定のタイミングに従って前記階調電圧を表示パネル１３の表示エリア１３２に印加する。第三データ駆動回路１２３は、取得した第三クロックトレーニングデータ及び第三主体表示データを階調電圧に変換し、且つ所定のタイミングに従って前記階調電圧を表示パネル１３の表示エリア１３３に印加する。第四データ駆動回路１２４は、取得した第四クロックトレーニングデータ及び第四主体表示データを階調電圧に変換し、且つ所定のタイミングに従って前記階調電圧を表示パネル１３の表示エリア１３４に印加する。前記四つの表示エリア１３１、１３２、１３３及び１３４は同時に階調電圧を印加される。
【００３７】
表示パネル１３の四つの表示エリアは、全て階調電圧を受信すると、画面を表示する。表示パネル１３は、各フレーム画面を表示する正常表示時間帯及び相隣する２つのフレーム画面の間（各フレーム画面前後）の空いている時間帯を含む。前記第一、第二、第三及び第四クロックトレーニングデータは、前記空いている時間帯にそれぞれ対応しているデータである。前記第一、第二、第三及び第四主体伝送データの中の第一、第二、第三及び第四主体表示データは、前記正常表示時間帯にそれぞれ対応しているデータである。
【００３８】
従来の技術と異なり、本発明の表示装置１０において、前記第一データ駆動回路は、第一初期トレーニングデータを提供することによって第一クロックトレーニングを完了して、第一クロック信号の周波数によって動作し、且つ前記第一主体伝送データを受信する。また、第二データ駆動回路は、第二初期トレーニングデータを提供することで第二クロックトレーニングを完了して、第二クロック信号の周波数で動作し、且つ前記第二主体伝送データを受信する。これによって、２つのデータ駆動回路に必要な第一主体伝送データ及び第二主体伝送データは異なる周波数によって伝送されることが可能になり、固定周波数の伝送方式に起因する電磁妨害現象は明らかに改善される。
【００３９】
変形例として、図１に示した表示装置１０は、第一データ駆動回路１２１及び第二データ駆動回路１２２のみを備え、第三データ駆動回路１２３及び第四データ駆動回路１２４を備えなくても良い。これに対応して、タイムスケジュール制御回路１１は、第一エンコーダ１１４及び第二エンコーダ１１５のみを備え、第三エンコーダ１１６及び第四エンコーダ１１７を備えない。表示パネル１３は、第一表示エリア１３１及び第二表示エリア１３２のみを備え、第三表示エリア１３３及び第四表示エリア１３４を備えない。当該変形例に記載の技術方案は、より小さい表示パネルを持つ表示装置１０に適用される。
【００４０】
上記の各実施形態において、周知のように、データ処理回路１１０は、前記画像データを処理する際に、解読を介して水平同期信号及び垂直同期信号などのタイムスケジュール制御信号を取得することができる。また、表示装置１０は、タイムスケジュール制御回路と表示パネルとの間に電気的に接続された走査駆動回路をさらに備える。前記走査駆動回路は、前記タイムスケジュール制御信号（例えば垂直同期信号）を受信し、且つ表示パネルに走査電圧を出力する。各データ駆動回路１２１、１２２、１２３及び１２４は、それに対応するエンコーダ１１４、１１５、１１６、１１７を介して前記タイムスケジュール制御信号（例えば水平同期信号）を受信して、第一データ駆動回路１２１、第二データ駆動回路１２２、第三データ駆動回路１２３及び第四データ駆動回路１２４が表示パネル１３に印加した駆動電圧のタイミングを制御する。
【００４１】
図２に示すように、本発明の第一実施形態に係る表示装置の駆動方法は、以下のステップＳ１１〜Ｓ１７を備える。
【００４２】
ステップＳ１１において、画像データを受信し且つ当該画像データに基づいて第一データ信号及び第二データ信号を生成する。本ステップＳ１１は、タイムスケジュール制御回路により完了されることができる。
【００４３】
ステップＳ１２において、基準クロック信号を受信し且つ当該基準クロック信号に基づいて周波数が異なっている第一クロック信号及び第二クロック信号を生成する。本ステップＳ１２も、タイムスケジュール制御回路により完了されることができる。
【００４４】
ステップＳ１３において、前記第一クロック信号を前記第一データ信号の中に組み込むことで、第一組み込み式クロックデータを生成する。前記第一組み込み式クロックデータは、第一初期トレーニングデータ及び第一主体伝送データを含む。本ステップＳ１３も、タイムスケジュール制御回路により完了されることができる。
【００４５】
ステップＳ１４において、前記第二クロック信号を前記第二データ信号の中に組み込むことで、第二組み込み式クロックデータを生成する。前記第二組み込み式クロックデータは、第二初期トレーニングデータ及び第二主体伝送データを含む。本ステップＳ１４も、タイムスケジュール制御回路により完了されることができる。
【００４６】
ステップＳ１５において、前記第一データ駆動回路が前記第一初期トレーニングデータを受信して第一クロックトレーニングを完了することによって、前記第一データ駆動回路は第一クロック信号の周波数によって前記第一主体伝送データを受信する。
【００４７】
ステップＳ１６において、前記第二データ駆動回路は、前記第二初期トレーニングデータを受信して第二クロックトレーニングを完了することによって、前記第二データ駆動回路は第二クロック信号の周波数によって前記第二主体伝送データを受信する。
【００４８】
ステップＳ１７において、前記第一データ駆動回路及び前記第二データ駆動回路は、前記第一主体伝送データ及び前記第二主体伝送データに基づいて表示パネルに駆動電圧を出力して、前記表示パネルを駆動して画面を表示させる。
【００４９】
具体的には、ステップＳ１２は、前記画像データによって得た基準クロック信号をさらに含む。前記基準クロック信号の周波数を「ｆ」と定義すると、前記第一クロック信号及び前記第二クロック信号の周波数は、それぞれｆ*９０％より大きいか又はそれに等しいか、ｆ*１１０％より小さいか又はそれに等しい範囲以内にある。
【００５０】
また、上記の駆動方法において、前記第一データ信号は、第一クロックトレーニングデータ及び第一主体表示データを含む。前記第二データ信号は、第二クロックトレーニングデータ及び第二主体表示データを含む。ステップＳ１３は、第一クロックトレーニング制御信号を提供して、前記第一クロックトレーニング制御信号の制御下で、前記第一クロック信号を前記第一クロックトレーニングデータの中に組み込んで、前記第一初期トレーニングデータを生成することをさらに含む。ステップＳ１４は、第二クロックトレーニング制御信号を提供して、前記第二クロックトレーニング制御信号の制御下で、前記第二クロック信号を前記第二クロックトレーニングデータの中に組み込んで、前記第二初期トレーニングデータを生成することをさらに含む。
【００５１】
さらに、上記の駆動方法において、前記第一データ駆動回路は、前記第一クロックトレーニングを完了した後に、第一フィードバック信号を提供する。前記第二データ駆動回路は、前記第二クロックトレーニングを完了した後に、第二フィードバック信号を提供する。さらに、前記第一フィードバック信号及び前記第二フィードバック信号によって、前記第一主体伝送データ及び前記第二主体伝送データを出力する。
【００５２】
前記表示装置の表示画面は、各フレーム画面を表示する正常表示時間帯及び相隣する２つのフレーム画面の間の空いている時間帯を含む。前記第一クロックトレーニングデータ及び前記第二クロックトレーニングデータは、前記空いている時間帯に対応するデータである。前記第一主体伝送データ及び前記第二主体伝送データは、前記正常表示時間帯に対応するデータである。
【００５３】
図３に示すように、本発明の第二実施形態に係る表示装置の駆動方法は、以下のステップＳ２１〜Ｓ３１を備える。本第二実施形態において、表示装置は、第一、第二、第三及び第四データ駆動回路を含む。
【００５４】
ステップＳ２１において、画像データを受信し且つ当該画像データに基づいて第一データ信号、第二データ信号、第三データ信号及び第四データ信号を受信する。本ステップＳ２１は、タイムスケジュール制御回路により完了されることができる。
【００５５】
ステップＳ２２において、基準クロック信号を受信し且つ当該基準クロック信号に基づいて周波数が互いに異なっている第一クロック信号、第二クロック信号、第三クロック信号及び第四クロック信号を生成する。本ステップＳ２２も、タイムスケジュール制御回路により完了されることができる。
【００５６】
ステップＳ２３において、前記第一クロック信号を前記第一データ信号の中に組み込むことで、第一組み込み式クロックデータを生成する。前記第一組み込み式クロックデータは、第一初期トレーニングデータ及び第一主体伝送データを含む。本ステップＳ２３も、タイムスケジュール制御回路により完了されることができる。
【００５７】
ステップＳ２４において、前記第二クロック信号を前記第二データ信号の中に組み込むことで、第二組み込み式クロックデータを生成する。前記第二組み込み式クロックデータは、第二初期トレーニングデータ及び第二主体伝送データを含む。本ステップＳ２４も、タイムスケジュール制御回路により完了されることができる。
【００５８】
ステップＳ２５において、前記第三クロック信号を前記第三データ信号の中に組み込むことで、第三組み込み式クロックデータを生成する。前記第三組み込み式クロックデータは、第三初期トレーニングデータ及び第三主体伝送データを含む。本ステップＳ２５も、タイムスケジュール制御回路により完了されることができる。
【００５９】
ステップＳ２６において、前記第四クロック信号を前記第四データ信号の中に組み込むことで、第四組み込み式クロックデータを生成する。前記第四組み込み式クロックデータは、第四初期トレーニングデータ及び第四主体伝送データを含む。本ステップＳ２６も、タイムスケジュール制御回路により完了されることができる。
【００６０】
ステップＳ２７において、前記第一データ駆動回路が前記第一初期トレーニングデータを受信して第一クロックトレーニングを完了することによって、前記第一データ駆動回路は第一クロック信号の周波数によって前記第一主体伝送データを受信する。
【００６１】
ステップＳ２８において、前記第二データ駆動回路は、前記第二初期トレーニングデータを受信して第二クロックトレーニングを完了することによって、前記第二データ駆動回路は第二クロック信号の周波数によって前記第二主体伝送データを受信する。
【００６２】
ステップＳ２９において、前記第三データ駆動回路は、前記第三初期トレーニングデータを受信して第三クロックトレーニングを完了することによって、前記第三データ駆動回路は第三クロック信号の周波数によって前記第三主体伝送データを受信する。
【００６３】
ステップＳ３０において、前記第四データ駆動回路は、前記第四初期トレーニングデータを受信して第四クロックトレーニングを完了することによって、前記第四データ駆動回路は第四クロック信号の周波数によって前記第四主体伝送データを受信する。
【００６４】
ステップＳ３１において、前記第一、第二、第三及び第四データ駆動回路は、前記第一、第二、第三及び第四主体伝送データに基づいて表示パネルに駆動電圧を出力して、前記表示パネルを駆動して画面を表示させる。
【００６５】
具体的には、ステップＳ２２は、前記画像データによって得た基準クロック信号をさらに含む。前記基準クロック信号の周波数を「ｆ」と定義すると、前記第一クロック信号、前記第二クロック信号、前記第三クロック信号及び前記第四クロック信号の周波数は、それぞれｆ*９０％より大きいか又はそれに等しいか、ｆ*１１０％より小さいか又はそれに等しい範囲以内にある。前記第一クロック信号乃至前記第四クロック信号の周波数は、互いに異なっている。
【００６６】
また、上記の駆動方法において、前記第一データ信号は、第一クロックトレーニングデータ及び第一主体表示データを含む。前記第二データ信号は、第二クロックトレーニングデータ及び第二主体表示データを含む。前記第三データ信号は、第三クロックトレーニングデータ及び第三主体表示データを含む。前記第四データ信号は、第四クロックトレーニングデータ及び第四主体表示データを含む。
【００６７】
また、ステップＳ２３は、第一クロックトレーニング制御信号を提供して、前記第一クロックトレーニング制御信号の制御下で、前記第一クロック信号を前記第一クロックトレーニングデータの中に組み込んで、前記第一初期トレーニングデータを生成することをさらに含む。ステップＳ２４は、第二クロックトレーニング制御信号を提供して、前記第二クロックトレーニング制御信号の制御下で、前記第二クロック信号を前記第二クロックトレーニングデータの中に組み込んで、前記第二初期トレーニングデータを生成することをさらに含む。ステップＳ２５は、第三クロックトレーニング制御信号を提供して、前記第三クロックトレーニング制御信号の制御下で、前記第三クロック信号を前記第三クロックトレーニングデータの中に組み込んで、前記第三初期トレーニングデータを生成することをさらに含む。ステップＳ２６は、第四クロックトレーニング制御信号を提供して、前記第四クロックトレーニング制御信号の制御下で、前記第四クロック信号を前記第四クロックトレーニングデータの中に組み込んで、前記第四初期トレーニングデータを生成することをさらに含む。
【００６８】
さらに、上記の駆動方法において、前記第一データ駆動回路は、前記第一クロックトレーニングを完了した後に、第一フィードバック信号を提供する。前記第二データ駆動回路は、前記第二クロックトレーニングを完了した後に、第二フィードバック信号を提供する。前記第三データ駆動回路は、前記第三クロックトレーニングを完了した後に、第三フィードバック信号を提供する。前記第四データ駆動回路は、前記第四クロックトレーニングを完了した後に、第四フィードバック信号を提供する。さらに、前記第一フィードバック信号乃至前記第四フィードバック信号によって、前記第一主体伝送データ乃至前記第四主体伝送データを出力する。
【００６９】
前記表示装置の表示画面は、各フレーム画面を表示する正常表示時間帯及び相隣する２つのフレーム画面の間の空いている時間帯を含む。前記第一、第二、第三及び第四クロックトレーニングデータは、前記空いている時間帯に対応するデータである。前記第一、第二、第三及び第四主体伝送データは、前記正常表示時間帯に対応するデータである。
【符号の説明】
【００７０】
１０  表示装置
１１  タイムスケジュール制御回路
１１０  データ処理回路
１１２  組み込み式クロックコントローラ
１１４  第一エンコーダ
１１５  第二エンコーダ
１１６  第三エンコーダ
１１７  第四エンコーダ
１２１  第一データ駆動回路
１２２  第二データ駆動回路
１２３  第三データ駆動回路
１２４  第四データ駆動回路
１３  表示パネル
１３１、１３２、１３３、１３４  表示エリア
【図１】
2014130355.tif 000003
【図２】
2014130355.tif 000004
【図３Ａ】
2014130355.tif 000005
【図３Ｂ】
2014130355.tif 000006